(57)【特許請求の範囲】
【請求項１】
透光性の支持基板上に発光を呈する有機層を一対の電極により挟持する有機ＥＬ素子を配設してなる有機ＥＬパネルと、前記有機ＥＬパネルの少なくとも２辺に列状に引き出し形成される前記有機ＥＬ素子の陽極端子群及び陰極端子群と、前記陽極端子群及び前記陰極端子群へ駆動電流を選択的に供給する駆動素子と、前記陽極端子群及び前記陰極端子群の一方の端子群と接続され列状に配設される第１のランド群と、制御信号を前記駆動素子に伝達する列状に配設される第２のランド群と、前記第２のランド群と同列に配設され前記陽極端子群及び前記陰極端子群の他方の端子群と接続するための第３のランド群と、前記駆動素子と前記第１，第２，第３のランド群とを備える可撓性の第１の回路基板と、前記制御信号を入力するための入力部を設けるとともに、前記第２のランド群に接続し前記第２のランド群を介して前記制御信号が前記駆動素子へ伝達するための列状に配設される第４のランド群と、前記他方の端子群と接続する列状に配設される第５のランド群と、前記駆動素子からの出力信号を前記他方の端子群に伝達するために前記第３のランド群に接続し前記第４のランド群と同列に配設される第６のランド群と、前記第４，第５，第６のランド群を備える可撓性の第２の回路基板と、を備えてなることを特徴とする有機ＥＬパネルの駆動装置。
【請求項２】
前記第１の回路基板及び前記第２の回路基板は、前記第２，第３のランド群と前記第４，第６のランド群とを、前記有機ＥＬパネルの裏面側にて電気的に接続してなることを特徴とする請求項１に記載の有機ＥＬパネルの駆動装置。
【発明の詳細な説明】
【０００１】
【発明の属する技術分野】
本発明は、有機ＥＬ（エレクトロルミネセンス）素子を有する有機ＥＬパネルの駆動装置に関する。
【０００２】
【従来の技術】
有機ＥＬ表示パネルは、例えば、特開２００１−１４２４３２号公報に示すように、ガラス基板等の透光性絶縁支持基板上にＩＴＯ（インジウムチンオキサイド）等の透明電極を用いた複数の陽極ラインを平行に形成し、この陽極ラインの背面に有機層を形成し、この有機層の背面にアルミニウム等の金属蒸着膜を用いた複数の平行な陰極ラインを陽極ラインに直交するように形成し、これら陽極ラインと陰極ラインとで前記有機層を挟持する一対の電極を形成したドットマトリクス式のものがある。
【０００３】
上述のようにして構成される有機ＥＬパネルは、より大型、または、より鮮明な表示を行えるものが望まれている。したがって、有機ＥＬパネルは、前記陽極ライン及び前記陰極ラインの本数が多い構成になってしまうため、これらのラインと電気的に接続するために引き出して形成される陽極端子群や陰極端子群が有機ＥＬパネルの２辺以上に渡って設けられることが一般的である。
【０００４】
また、かかる有機ＥＬパネルを駆動するには、いずれかの陽極ライン及び陰極ラインを選択し、所定の駆動電流を印加する駆動素子が用いられる。
【０００５】
このような有機ＥＬパネルの駆動装置としては、前記駆動素子と、前記有機ＥＬパネルの陽極端子群及び陰極端子群とを電気的に接続するために、フレキシブルプリント配線やコネクタなどからなる配線部材が必要となる。
【０００６】
【発明が解決しようとする課題】
しかしながら、かかる有機ＥＬパネルの駆動装置は、前記駆動素子と、前記有機ＥＬパネルの陽極端子群及び陰極端子群とを電気的に接続するための部品点数が多いため、組み付ける時の接続工程が多くなってしまい製造工程を煩雑にするだけでなく、前記両部材を接続するための多くの配線部材を前記有機ＥＬパネルの周縁において接続を図ることになるため、有機ＥＬパネルの駆動装置自体を大型化してしまい、前記有機ＥＬパネルを収納する収納ケース内において配設スペースを広く確保しなければならず、前記有機ＥＬパネルの駆動装置を備える表示装置を小型化できないといった問題点を有している。
【０００７】
本発明は、このような問題に着目してなされたものであり、少ない接続工程で有機ＥＬパネルと駆動素子とを電気的に接続することが可能で、かつ組み付け後に大きな配設スペースを必要としない有機ＥＬパネルの駆動装置を提供することを目的とする。
【０００８】
【課題を解決するための手段】
前記課題を解決するため、本発明の有機ＥＬパネルの駆動素子は、請求項１に記載のように、透光性の支持基板上に発光を呈する有機層を一対の電極により挟持する有機ＥＬ素子を配設してなる有機ＥＬパネルと、前記有機ＥＬパネルの少なくとも２辺に列状に引き出し形成される前記有機ＥＬ素子の陽極端子群及び陰極端子群と、前記陽極端子群及び前記陰極端子群へ駆動電流を選択的に供給する駆動素子と、前記陽極端子群及び前記陰極端子群の一方の端子群と接続され列状に配設される第１のランド群と、制御信号を前記駆動素子に伝達する列状に配設される第２のランド群と、前記第２のランド群と同列に配設され前記陽極端子群及び前記陰極端子群の他方の端子群と接続するための第３のランド群と、前記駆動素子と前記第１，第２，第３のランド群とを備える可撓性の第１の回路基板と、前記制御信号を入力するための入力部を設けるとともに、前記第２のランド群に接続し前記第２のランド群を介して前記制御信号が前記駆動素子へ伝達するための列状に配設される第４のランド群と、前記他方の端子群と接続する列状に配設される第５のランド群と、前記駆動素子からの出力信号を前記他方の端子群に伝達するために前記第３のランド群に接続し前記第４のランド群と同列に配設される第６のランド群と、前記第４，第５，第６のランド群を備える可撓性の第２の回路基板と、を備えてなることを特徴とするものである。
【０００９】
また、請求項２に記載のように、請求項１に記載の有機ＥＬパネルの駆動装置において、前記第１の回路基板及び前記第２の回路基板は、前記第２，第３のランド群と前記第４，第６のランド群とを、前記有機ＥＬパネルの裏面側にて電気的に接続してなることを特徴とするものである。
【００１０】
【発明の実施の形態】
以下、本発明の実施の形態を添付図面に基づき説明する。
【００１１】
図１において、有機ＥＬパネルの駆動装置は、有機ＥＬパネル１と、第１の回路基板２と、第２の回路基板３とから構成される。
【００１２】
有機ＥＬパネル１は、ＩＴＯ等の導電性材料にて複数本平行に配設される透光性の陽極ラインと、正孔注入層，正孔輸送層，発光層及び電子輸送層を蒸着法等の手段によって順次積層形成してなる有機層と、アルミニウム（Al）やアルミリチウム（Al-Li），マグネシウム銀（Mg-Ag）等の金属性の導電性材料にて前記陽極ラインと直交するようにして複数本平行に配設される陰極ラインとからなる有機ＥＬ素子１１を、長方形形状からなる透光性の支持基板上に積層するとともに、ガラス材料からなる平板状の封止部材にて有機ＥＬ素子１１を覆うようにして構成される。なお、陽極ラインや陰極ラインはスパッタリング法や蒸着法等の手段によって一様な厚みにて形成されるもので、これら陽極ライン及び陰極ラインとで前記有機層を挟持する一対の電極を形成する。
【００１３】
なお、有機ＥＬパネル１には、有機ＥＬ素子１１の陽極ライン及び陰極ラインそれぞれに対応する陽極端子群１２及び陰極端子群１３が、有機ＥＬパネルの２辺に列状に引き出し形成されている。
【００１４】
第１の回路基板２は、ＴＣＰ（テープキャリアパッケージ）からなる素子を搭載した可撓性の基板である。第１の回路基板２は、第１の回路基板２の一辺に、陽極端子群１２の各端子に対応して列状に配設されるとともに、この陽極端子群１２と異方性導電膜を介して電気的に接続される第１のランド群２１と、図示しない制御回路からの制御信号に応じて所定の駆動電流を、陽極端子群１２及び陰極端子群１３のいずれかの端子に選択的に印加する駆動素子（いずれかの前記陽極ラインを選択し電圧を印加し、また、いずれかの前記陰極ラインを選択し接地するためのドライバ集積回路）２２、前記制御信号を第２の回路基板３を介して駆動素子２２に伝達するために、駆動素子２２の各端子と電気的に接続される引き出し部を介して配設され、第１の回路基板２の第１のランド群２１が形成される一辺に対向する辺に形成される列状の第２のランド群２３と、駆動素子２２の各端子と電気的に接続される引き出し部を介して第２のランド群２３と同列に列状に配設され、第２の回路基板３を介して有機ＥＬパネル１の陰極端子群１３と電気的に接続するための第３のランド群２４とを備えている。
【００１５】
第２の回路基板３は、ＦＰＣ（フレキシブルプリント基板）からなる可撓性の基板であり、略Ｌ字形状をなしている。第２の回路基板３は、前記制御回路からの前記制御信号を入力するために外部機器とコネクタ接続可能な形状にてなる入力部３１と、入力部３１からの前記制御信号を伝達可能に設けられ、第２の回路基板３における入力部３１との対向する箇所に列状に配設される第４のランド群３２と、陰極端子群１３の各端子に対応して列状に配設されるとともに、第４のランド群３２の形成位置から右端外方に設けられ、陰極端子群１３と異方性導電膜を介して電気的に接続される第５のランド群３３と、駆動素子２２からの出力信号（陽極）を第５のランド群３３を介して陰極端子群１３に伝達可能とするため、第４のランド群３２と同列に列状に配設される第６のランド群３４とを備えている。また、第２の回路基板３には、コンデンサや抵抗素子等の回路素子３５が配設されている。
【００１６】
第１の回路基板２及び第２の回路基板３は、異方性導電膜にて有機ＥＬパネル１に導電接続されるとともに、図２で示すように、有機ＥＬパネル１の裏面側に曲げられ、第２のランド群２３と第４のランド群３２とが、そして第３のランド群２４と第６のランド群３４とが半田を介して導通接続される。したがって、入力部３１からの制御信号を駆動素子２２に伝達することができるとともに、駆動素子２２からの陰極を有機ＥＬパネル１の陰極端子群１３に伝達することができる構造となる。
【００１７】
入力部３１からの制御信号は、第２の回路基板３の第４のランド群３２から第１の回路基板２の第２のランド群２３に伝達され、第２のランド群２３に伝達された前記制御信号は、駆動素子２２によって所定の駆動電流が印加されるべき陰極ライン及び陽極ラインが選択されるとともに、この選択された陰極ラインの駆動電流は、第３のランド群２４のいずれかのランドから前記ランドに対応する第６のランド群３４のランドに伝達され、第５のランド群３３のランド（第６のランド群２４のランドに対応するランド）を介して有機ＥＬパネル１の陰極端子群１３の端子に印加される。一方駆動素子２２によって選択された陽極ラインの駆動電流は、第１のランド群２１のいずれかのランドから陽極端子群１２の前記ランドに対応する有機ＥＬパネル１の陽極端子群１３の端子に印加される。
【００１８】
かかる有機ＥＬパネルの駆動装置は、透光性の支持基板上に発光を呈する有機層を一対の電極により挟持する有機ＥＬ素子を配設してなる有機ＥＬパネル１と、有機ＥＬパネル１の少なくとも２辺に列状に引き出し形成される前記有機ＥＬ素子の陽極端子群１２と、所定の駆動電流を陽極端子群１２及び陰極端子群１３に選択的に印加する駆動素子２２と、陽極端子群１２と接続され列状に配設される第１のランド群２１と、制御信号を駆動素子２２に伝達する列状に配設される第２のランド群２３と、第２のランド群２３と同列に配設され陰極端子群１３と接続するための第３のランド群２４と、駆動素子２２と第１，第２，第３のランド群２１，２３，２４とを備える可撓性の第１の回路基板２と、前記制御信号を入力するための入力部３１を設けるとともに、第２のランド群２３に接続し第２のランド群２３を介して前記制御信号が駆動素子２２へ伝達するための列状に配設される第４のランド群３２と、陰極端子群１３と接続する列状に配設される第５のランド群３３と、駆動素子２２からの出力信号を陰極端子群１３に伝達するために第３のランド群２４に接続し第４のランド群３２と同列に配設される第６のランド群３４と、第４，第５，第６のランド群３２，３３，３４を備える可撓性の第２の回路基板３と、を備えてなることにより、第２，第３のランド群２３，２４、そして第４，６のランド群３２，３４がそれぞれ同列に配設されるため、２つの接続箇所を１度に半田接続することができ、接続工程の少ないものとなる。
【００１９】
また、かかる有機ＥＬパネルの駆動装置は、可撓性の第１，２の回路基板２，３を曲げ、それぞれを近接させてから接続するため、離れた位置に配設される複数の回路基板同士を電気的に接続するためのコネクタやフレキシブルプリント配線，これらを接続するためのソケット等の配線部材を必要としない構成となり、半田や異方性導電膜を介するだけで容易に接続することができる。
【００２０】
また、かかる有機ＥＬパネルの駆動装置は、可撓性の第１，２の回路基板２，３が曲げられて、有機ＥＬパネル１の裏面側にて接続し配設されることにより、有機ＥＬパネル１の周辺に回路基板が設けられるものと比べ、省スペース化が図られる。特に、自発光型の有機ＥＬ素子１１を有する有機ＥＬパネル１の裏面側には、バックライト等の別体の照明を配設する必要がないため、有効なスペース利用となる。
【００２１】
なお、本発明の実施の形態では、第１の回路基板２と第２の回路基板３とを半田接続するものを例に挙げて説明したが、本発明はこれに限定されるものではなく、例えば、異方性導電膜によって接続されるものであってもよい。
【００２２】
また、本発明の実施の形態では、ドットマトリクス型の有機ＥＬ素子１１を有する有機ＥＬパネルの駆動装置について説明したが、本発明はこれに限定されるものではなく、有機ＥＬ素子１１から引き出される陽極端子群１２及び陰極端子群１３が少なくとも２辺に形成される有機ＥＬパネルであれば有効的であり、例えば、表示区画されたセグメント型の有機ＥＬ素子を有する有機ＥＬパネルの駆動装置であってもよい。
【００２３】
【発明の効果】
本発明は、少ない接続工程で有機ＥＬパネルと駆動素子とを電気的に接続することが可能で、かつ組み付け後に大きな配設スペースを必要としない有機ＥＬパネルの駆動装置を提供することができる。
【図面の簡単な説明】
【図１】  本発明の実施の形態における有機ＥＬパネルの駆動装置を示す平面図。
【図２】  図１の第１，２の回路基板を接続し、有機ＥＬパネルの裏面側を示す平面図。
【符号の説明】
１      有機ＥＬパネル
１１    有機ＥＬ素子
１２    陽極端子群
１３    陰極端子群
２      第１の回路基板
２１    第１のランド群
２２    駆動素子
２３    第２のランド群
２４    第３のランド群
３      第２の回路基板
３１    入力部
３２    第４のランド部
３３    第５のランド群
３４    第６のランド群
【図１】
0004254081.tif 000002
【図２】
0004254081.tif 000003